Podtech/llm-jp-corpus-v4-ja_patent huggingface dataset:
(57)【要約】      （修正有）【課題】人を吊るすハーネスにおいて、リペリング用と懸架用のフルボディーハーネスとの機能を合体させた、装着感の良い吊り下げ用ハーネスを提供する。【解決手段】ウェビングにバーアジャスター金具９を使用し、背面と側面のウェビングがバーをスルーすることによって１本のウェビングで作り、１つの調整金具８で背面、側面の調整を可能とする。既存のフルボディハーネスはカラビナのフックポイント３から下に人の体重により狭まろうとしている。背面のクロスウェビング６はクロスした所を基準にして体重の重さによって、そこから上のフックポイントにかけて一線になろうと狭まれて行く。その力の係り具合を変化させるため、直径４５ｍｍのリング１０を、クロスさせていたポイントに置き換え、今迄左右のサイドのウエビングの一部を左右にクロスさせていたところをクロスさせないで、左は左、右は右に独立させ、本来のサイドウェビング４の効果を維持させて構成する。【選択図】図１
0003150435.tif 000002
【実用新案登録請求の範囲】
【請求項１】
ウェビングと調整金具からなる人を吊り下げるハーネスにおいて、リペリング用のフックポイントと懸架用のそれとを合わせ持つことにより、ひとつのハーネスで２つの用途に対応できる様にしたことを特徴とする吊り下げ用ハーネス。
【請求項２】
上体のサイドに調整用のウェビングを配し、吊られた状態で安定して両手を自由に使えることを特徴とする請求項１記載の吊り下げ用ハーネス。
【請求項３】
リペリング用のフックポイントからダイレクトにレッグストラップに力がかかるように取り回したことを特徴とする請求項１記載の吊り下げ用ハーネス。
【考案の詳細な説明】
【技術分野】
【０００１】  この考案は航空機（ヘリコプター）から人を吊り下げるためのハーネスに関するものである。
【背景技術】
【０００２】  リペリングにはリペリング専用のハーネス、両手を使うためには懸架専用のフルボディーハーネスが別々に利用されている。懸架専用の場合ウェビングのとりまわしや金具の使い方はパラシュートで使用されている方法が使われているが、上体を保持するハーネスとしてはパラシュートのハーネスの取り回しでは上半身を安定させ吊られた状態で銃器等を使用しようとした場合に不安定になる。
【考案の開示】
【考案が解決しようとする課題】
【０００３】  既存の懸架用フルボディーハーネスではリペリングをすることができず、既存のリペリングハーネスでは両手をフリーにすることはできない。おのおの違う吊り下げ方をするこの２つの機能を合体させることによって、付け替えることなく両方の機能を有し、尚且つおのおのの機能において装着感が良く、両手を放しても安定して身体を保持できるハーネスを開発することに成功し、本考案としてここに提案するものである。
【課題を解決するための手段】
【０００４】  請求項１に係る考案は、ウェビングと調整金具からなる人を吊り下げるハーネスにおいて、リペリング用のフックポイントと懸架用のそれとを合わせ持つことにより、ひとつのハーネスで２つの用途に対応できる様にしたことを特徴とする吊り下げ用ハーネスであり、この吊り下げ用ハーネスを提供して上記課題を解消するものである。【０００５】  請求項２に係る考案は、上体のサイドに調整用のウェビングを配し、その長さを調節することにより吊られた状態で安定して両手を自由に使えることを特徴とする請求項１記載の吊り下げ用ハーネスである。【０００６】  請求項３に係る考案は、リペリング用のフックポイントからダイレクトにレッグストラップに力がかかるように取り回したことを特徴とする請求項１記載の吊り下げ用ハーネスである。
【考案の効果】
【０００７】  既存の懸架用フルボディーハーネスの両サイドにウェビングを加え背面のクロスする調整機構をサイドに移し、その長さを調節することにより上体のホールド部分を増やし、且つ自然に立った姿勢を保持できることで体に与える苦痛を減らしていた。
背面のクロスしていたウェビングとサイドに移した調整機構を、ウェビングにバーアジャスター金具を使用し、背面と側面のウェビングがバーをスルーすることによって１本のウェビングで作られ、１つの調整金具で背面、側面の調整が可能になった。そのため２つのウェビングは身体により密着をさせることが出来る。
既存のフルボディハーネスはカラビナのフックポイントから下に人の体重により狭まろうとしている。背面のクロスウェビングはクロスした所を基準にして体重の重さによって、そこから上のフックポイントにかけて一線になろうと狭まれて行く。
その力の係り具合を変化させるため、直径４５ｍｍのリングを、クロスさせていたポイントに置き換え、今迄左右のサイドのウエビングの一部を左右にクロスさせていたところをクロスさせないで、  左は左  右は右  に独立させ、本来のサイドウェビングの効果を維持することによって、フックポイントに向かって一点に戻ろうとする力を軽減しようとする考案で、このハーネスの問題を解決しようとしています。
【考案を実施するための最良の形態】
【０００８】    １インチのウェビングを背面、側面に使用し、１，３／４インチ幅と１インチ幅のちがいをつけることによって、装着する時どこに腕を差し込むのか、前面と背面の区別が分かりやすくなっていること。特に夜間等に、前面のウェビングの幅は大きく背面のウェビングの幅は小さいので感覚によって区別が出来、装着に要する時間は今までの物より見分けが簡単で１／２以下に減らす事ができる。【０００９】  ここからの力は主に調整金具８で長さ調整されてサイドウェビング４に掛かっていたが、クロスウェビング６にも同等に力が掛かるため、力が分散し前のタイプより前面、側面、背面から来る身体に掛かる力に対し圧迫される力は軽減される。
今までのものは１６５〜１９５ｃｍまで背面のクロスウェビングは固定でちょうせいできなかった。前面、側面の調整金具によっての伸び縮みで、前傾に対する正しいとされるアングルを作ることが出来る。この点については同じ作用をしている。
【図面の簡単な説明】
【００１０】
【図１】この考案に係る吊り下げ用ハーネスの一例を正面から見た状態の説明図である。
【図２】図１の中のＡ−Ａ断面図。
【符号の説明】
【００１１】１    リペリング用フックポイント
２    レッグストラップ（股帯）
３    フルボディーハーネスとして懸架される際のフックポイント
４    サイドウェビング
５    メインリフトウェビング
６    クロスウェビング
７    チェストストラップ
８    調整金具
９    バーアジャスター金具
１０  リング
【図１】
0003150435.tif 000003
【図２】
0003150435.tif 000004
(57)【要約】      （修正有）【課題】緊急時電池切れの際に携帯電話機を使用可能にする自家発電装置付携帯電話を提供する。【解決手段】携帯電話に回転振り子ホにより発電する発電装置ハを内蔵させ、携帯電話を振り、内蔵している振り子ホを廻し発電機ニに回転を与えて電気を起こす、若しくはおもりにより振動力発電機に振動を与えて発電する。【選択図】図３
0003150436.tif 000002
【実用新案登録請求の範囲】
【請求項１】
自家発電装置を内蔵した携帯電話
【考案の詳細な説明】
【技術分野】
【０００１】常に充電状態で使用不能状況を軽減、もしくは電力不足により使用不能時に使用を可能に出来る目的とした発電機と携帯電話を一体化にした物である
【背景技術】
【０００２】自動巻き腕時計のように常時本体を動かしていると回転振り子により充電状態になる
【考案の開示】
【考案が解決しようとする課題】
【０００３】停電時のＡＣアダプター充電器、外出時の電池切れの携帯充電器等で通常充電の出来ない状況時に活躍
【課題を解決するための手段】
【０００４】携帯電話内部に振動力発電若しくはその他の発電機能装置を設置
【考案の効果】
【０００５】普段から充電状態ではあるが緊急時電池切れの際に携帯電話機に再度振動を与えると発電して使用可能となる
【図面の簡単な説明】
【０００６】
【図１】携帯電話全体図
【図２】内部構造図
【図３】内部構造図
【符号の説明】
【０００７】イ・・振動力発電    ロ・・振動を与えるおもり    ハ・・その他の発電機能装置
ニ・・発電機    ホ・・回転振り子
【図１】
0003150436.tif 000003
【図２】
0003150436.tif 000004
【図３】
0003150436.tif 000005
(57)【要約】      （修正有）【課題】瓦の全体または部分にキャラクターの顔や姿の造形を施し、その瓦を屋根に葺くことで、従来の家より個性豊かな屋根を具備した家づくりを可能とする屋根瓦を提供する。【解決手段】屋根瓦は、鬼瓦４の正面、万十軒瓦の万十部、巴瓦の巴部など、瓦の表面の目立つ部分にキャラクターの顔や姿の造形を施したり、飾り瓦３をキャラクターの姿に模り、これらの瓦を屋根に葺くことにより、個性豊かで装飾性の高い家づくりを可能とする。【選択図】図４
0003150418.tif 000002
【実用新案登録請求の範囲】
【請求項１】
鬼瓦の正面、万十軒瓦の万十部や垂れ部、巴瓦の巴部など、瓦の表面の目立つ部分にキャラクターの顔や姿の造形を施したり、飾り瓦をキャラクターの姿に模った屋根瓦。
【考案の詳細な説明】
【技術分野】
【０００１】  本考案は、キャラクターの顔や姿の造形を施すことで装飾性を高めた屋根瓦に関する。
【背景技術】
【０００２】  従来の屋根瓦は、瓦の一部に鬼の顔や家紋などの造形を施したものや、そういった施しのないシンプルなものが一般的であった。
【考案の開示】
【考案が解決しようとする課題】
【０００３】  従来の屋根瓦は、瓦の一部に鬼の顔や家紋などの造形を施したものや、そういった施しのないシンプルなものが一般的であり、キャラクターの顔や姿の造形を施すことで装飾性を高めたものがなかった。
【課題を解決するための手段】
【０００４】  本考案による屋根瓦は、瓦の全体または部分の外観にキャラクターの顔や姿の造形を施すことで上記課題を解決する。
【考案の効果】
【０００５】  本考案による屋根瓦は、屋根に葺くことによりキャラクターの顔や姿の造形で屋根のいろいろな部分を装飾できることから、従来の家より個性豊かでよく目立ち、よりオリジナリティーの高い家づくりを可能とする。
【考案を実施するための最良の形態】
【０００６】  図４に示すように、屋根のいろいろな部分にキャラクターの顔や姿の造形を施した屋根瓦を設置した。
【実施例】
【０００７】  つぎに、本考案にかかる実施例について図１から図４を参照しながら具体的に説明する。ただし、本考案はこの実施例に限定されるものではないことはもちろんである。
図１（万十軒瓦）、図２（飾り瓦）、図３（鬼瓦）のようにキャラクターの顔や姿の造形を施した屋根瓦を、図４のように屋根に葺くことで、従来のものとは違う個性豊かな屋根を具備した家づくりが可能となる。
【図面の簡単な説明】
【０００８】
【図１】本考案による一実施例を図に示したものであり、万十部及び垂れ部の正面にそれぞれキャラクターの顔と名称の造形を施した万十軒瓦の斜視図である。
【図２】本考案による一実施例を図に示したものであり、キャラクターの姿に模った飾り瓦の斜視図である。
【図３】本考案による一実施例を図に示したものであり、正面にキャラクターの姿の造形を施し、正面から見た全体の形もキャラクターの姿に模った鬼瓦の斜視図である
【図４】本考案による屋根瓦を葺いた屋根の一実施例を図に示したものであり、屋根全体の斜視図である。
【符号の説明】
【０００９】１  万十
２  垂れ部の正面
３  飾り瓦
４  鬼瓦
５  万十軒瓦
【図１】
0003150418.tif 000003
【図２】
0003150418.tif 000004
【図３】
0003150418.tif 000005
【図４】
0003150418.tif 000006
【手続補正書】
【提出日】平成21年2月16日(2009.2.16)
【手続補正１】
【補正対象書類名】図面
【補正対象項目名】図１
【補正方法】変更
【補正の内容】
【図１】
0003150418.tif 000007
【手続補正２】
【補正対象書類名】図面
【補正対象項目名】図２
【補正方法】変更
【補正の内容】
【図２】
0003150418.tif 000008
【手続補正３】
【補正対象書類名】図面
【補正対象項目名】図３
【補正方法】変更
【補正の内容】
【図３】
0003150418.tif 000009
(57)【要約】      （修正有）【課題】レジ袋、ゴミ袋等を、簡易にゴミ箱の代用として使用できる構造枠を提供する。【解決手段】コイルバネ状スプリングを胴部に用いた枠本体１、尖塔状突起７とＪ字形フック５を固着させた蓋枠２、両端に、Ｃ字形フック６を固着させた棒状もしくは、紐状器具３との組み合わせにて、枠１の伸縮特性を、器具３にて、保持、調節し、蝶番により開閉自在となる蓋枠を袋止め器具として機能させて構成する。【選択図】図１
0003150411.tif 000002
【実用新案登録請求の範囲】
【請求項１】
コイルバネ状スプリングを、枠胴部に用い、枠本体と同型で尖塔状突起を固着させた一回り大きな蓋枠をごみ袋等の係止器具とし、該枠の高さ、角度を調節するＣ字形フックを両端部に固着させた棒状もしくは、紐状の器具との組み合わせ効果により、該枠の立端の高低、及び該枠、上縁部（投入口）の変向を可能とする伸縮自在の構造枠。
【請求項２】
枠本体と同形で一回り大きく尖塔状突起を相対位置に４〜６ヵ所、Ｊ字形フック（適宜形状）２ヵ所を固着させた、該枠上縁部に結合した蝶番にて開閉自在となる蓋枠を有する、請求項１記載の構造枠。
【請求項３】
両端に、適宜形状の係止フックを固着させた、棒状もしくは紐状の調節器具を装着して使用することを特徴とする請求項１記載の構造枠。
【考案の詳細な説明】
【技術分野】
【０００１】  本考案は、コイルバネを胴部に用い、調節及び保持用器具を、脱着させることにより、変型可能となる、伸縮自在の、ごみ袋保持枠。
【背景技術】
【０００２】  チョットしたゴミを集積、及び処理する為、ごみ袋、またはレジ袋等を、そのまま、もしくは、一般的ごみ箱に装着させて使用することがある。
【考案の開示】
【考案が解決しようとする課題】
【０００３】  一般的ごみ箱の常設が不必要な状況下では、ごみ袋を、そのままか、もしくは、手近な箱物等に被せて使用したり、又は、ゴミの後処理の利便性から、一般的ごみ箱等に、装着させて利用することがある。よって、本考案は、ごみ袋及びレジ袋等を、簡易、簡便且つ機能的に使用するための保持枠を提示する。また、投入口に角度を付けることにより、ゴミ投げ入れ時の補助機能を付加する。
【課題を解決するための手段】
【０００４】  本考案は、枠胴部にコイルバネを用い、尖塔状突起を固着させた枠本体と同形の蓋枠を、枠上縁部に結着させた蝶番により、開閉自在とし、装填したごみ袋の、係止具とする。そして、コイルバネの伸縮性により、蓋枠の相対位置２か所に結着させた  Ｊ字状フックを係止具として、収縮状態を保持し、使用時は、これを解除することにより、利用可能状態となる。また、両端部にＣ字形フックを固着させた、棒状もしくは、紐状の器具を枠上縁部と底縁部を連結させる形態で装着させることにより、枠の高さの保持、及び投入口の角度の調節を可能とする機能を付加する。
【考案の効果】
【０００５】  袋の形状保持により、安定した容量の確保が可能となり、不要時には、圧縮させることにより、持ち運び及び収納が容易となる。また、枠の特性から、投入口に角度を持たせることが可能となり、機能的、且つ、簡易、簡便に、ごみ袋の使用ができ、ゴミ投入時の一助となる。                                                                    ）
【考案を実施するための最良の形態及び実施例】
【０００６】  本考案を添付図面に基づいて説明する。
１は、コイルバネ状スプリング、もしくはプラスチック等の素材から成り、枠上部１ａ、及び、底部１ｂが一体構造の、伸縮自在の枠本体。２は、蓋的役割のハリガネ、もしくは、プラスチック等の素材にて、４〜６ヵ所に、５ｍｍ〜１０ｍｍ、内外の尖塔状突起７，及び、Ｊ字形フック５を２か所、左右対称に固着させた係止器具にて，該枠１に装填したごみ袋等の押え止めとする。該器具２は、枠本体１より一回り大きく、枠上縁部１ａに固着させた、蝶番４により、開閉自在となる。
【０００７】  調節器具３は、金属、及び、プラスック、又は、紐状の素材で、両端に、Ｃ字形フック６を固着させた器具で、１枠上縁部１ａ、及び，底縁部１ｂに装着させ、該器具３の長短により、該枠１の高さ、及び，上縁部（投入口）１ａの角度の調節を可能とする。
【０００８】  枠本体１は、コイルバネ状スプリングの伸縮性から、Ｊ字形フック５により、収縮状態を保持され、それを解除することにより、利用可能状態となる。
【０００９】  本考案は、大まかにいえば、枠本体１、蓋枠２、高さ角度調節器具３の３種の組み合にて有効な機能性を生む構造体である。調節器具３は、最低２本以上必要である。高さを保持調節するためには、棒状器具が適材であるが、角度調節の為の器具は紐状の物であってもよい。また、枠製作時から、０字形フック等により枠上縁部に数種の長さの調節器具を結着させておいてもよい。
【図面の簡単な説明】
【００１０】
【図１】枠全体装填図
【図２】実施例図
【図３】収縮時及び俯瞰図
【図４】調節器具図
【符号の説明】
【００１１】１    枠本体
２    蓋枠
３    調節器具
４    蝶番
５    Ｊ字形フック
６    Ｃ字形フック
７    尖塔状突起
８    ごみ袋
１ａ  上縁部
１ｂ  底縁部
【図１】
0003150411.tif 000003
【図２】
0003150411.tif 000004
【図３】
0003150411.tif 000005
【図４】
0003150411.tif 000006
【手続補正書】
【提出日】平成21年2月18日(2009.2.18)
【手続補正１】
【補正対象書類名】実用新案登録請求の範囲
【補正対象項目名】全文
【補正方法】変更
【補正の内容】
【実用新案登録請求の範囲】
【請求項１】
コイルバネ状スプリングを、枠胴部に用い、枠本体と同型で尖塔状突起を固着させた一回り大きな蓋枠をゴミ袋等の係止め器具とし、該枠の高さ、角度を調節するＣ字形フックを両端部に固着させた棒状もしくは、紐状の器具との組み合わせ効果により、該枠の立端の高低、及び、投入口となる上縁部の角度の調節を可能とする伸縮自在の構造枠。
【請求項２】
枠本体と同型で大きく尖塔状突起を相対位置に４〜６か所、適宜形状のＪ字形フック２か所を固着させた、該枠上縁部に結合した蝶番にて開閉自在となる蓋枠を有する、請求項１記載の構造枠。
【請求項３】
両端に、適宜形状の係止フックを固着させた、棒状もしくは紐状の調節器枠具を装着して使用することを特徴とする請求項１記載の構造枠。
(57)【要約】      （修正有）【課題】硬式テニスボールの空気圧の減少を防ぐための装置を提供する。【解決手段】円筒状の容器の一端を密閉し、他端にネジを付けたテニスボールより大きな蓋を付ける。その蓋または容器に弁の付いた管を付け、蓋と容器の間にパッキンを付け容器内部の気圧を高めたことを特徴とする。普通は開缶すると２、３日しか空気圧が持たないが、この装置に入れると２〜３ヶ月経過しても硬式テニスボールの空気圧が維持される。【選択図】図１
0003150415.tif 000002
【実用新案登録請求の範囲】
【請求項１】
（１）円筒状の容器の一端を密閉し、他端にネジを付けたテニスボールより大きな蓋を付ける。その蓋または容器に弁の付いた管を付け、蓋と容器の間にパッキンを付けたことを特徴とする装置。
【考案の詳細な説明】
【技術分野】
【０００１】硬式テニスボールの空気圧の減少を防ぐための装置の考案である。
【背景技術】
【０００２】硬式テニスボールのゴムの膜を厚くして空気が漏れるのを防いでいた。
【考案の開示】
【考案が解決しようとする課題】
【０００３】高気圧の缶に入っている硬式テニスボールは開缶すると徐々に硬式テニスボール内の空気が抜けていき使えなくなってしまう。また、従来のようにゴムの膜を厚くすると、練習では使えても試合には使えない欠点がある。
【課題を解決するための手段】
【０００４】硬式テニスボールを高気圧の容器に入れる。
【考案の効果】
【０００５】硬式テニスボールを考案した装置に入れると、長時間硬式テニスボールの空気圧が維持される。
【考案を実施するための最良の形態】
【０００６】円筒状の容器の一端を密閉し、他端にネジを付けたテニスボールより大きな蓋を付ける。その蓋または容器に弁の付いた管を付け、蓋と容器の間にパッキンを付けたことを特徴とする装置。
【実施例】
【０００７】普通は開缶すると２、３日しか空気圧が持たないが、この装置に入れると２〜３ヶ月経過しても硬式テニスボールの空気圧が維持される。
【産業上の利用可能性】
【０００８】硬式テニスボールの経費が削減される。また、ごみの削減になるので環境にも良い。
【図面の簡単な説明】
【０００９】
【図１】  硬式テニスボール空気圧維持装置を正面から見た断面図である。図２を一点鎖線ａｂで切断し、矢印側から見た断面図である。
【図２】  硬式テニスボール空気圧維持装置を上から見た図である。
【図３】  硬式テニスボール空気圧維持装置の斜視図である。
【符号の説明】
【００１０】  １  一端を密閉した円筒形の容器
２  ネジの付いた蓋
３  管
４  パッキン
５  弁
【図１】
0003150415.tif 000003
【図２】
0003150415.tif 000004
【図３】
0003150415.tif 000005
【手続補正書】
【提出日】平成21年2月17日(2009.2.17)
【手続補正１】
【補正対象書類名】実用新案登録請求の範囲
【補正対象項目名】全文
【補正方法】変更
【補正の内容】
【実用新案登録請求の範囲】
【請求項１】
円筒状の容器の一端を密閉し、他端にネジを付けたテニスボールより大きな蓋を付けるとともに、その蓋または容器に弁の付いた管を付け、蓋と容器の間にパッキンを付けたことを特徴とする、硬式テニスボール空気圧維持装置。
(57)【要約】      （修正有）【課題】歯ブラシ本体を３分割できる歯ブラシ本体を設け、従来の入れ歯専用歯ブラシでは磨けない箇所、汚れた箇所も３分割できる各専用の歯ブラシで汚れ具合に合わせた使い方ができ磨ける歯ブラシを提供する。【解決手段】１本の入れ歯専用歯ブラシを歯の汚れが落ちない箇所、磨けない箇所などに合わせて、３分割した各部分の先端部を４種類の強弱異なった素材にし、１本に合体又は３つに分離を可能にし、入れ歯の汚れ具合に合わせた専用の使い方のできる歯ブラシで磨けることを特徴とする全部床義歯（通称総入歯）磨器である。【選択図】図１
0003150414.tif 000002
【実用新案登録請求の範囲】
【請求項１】
入れ歯専用の歯ブラシ本体を３分割に、又は合体できる事を特徴とする全部床義歯（通称総入歯）磨器。
【請求項２】
入れ歯専用の歯ブラシを３分割にし、分割した先端部に４種類の素材の異なった磨き方ができる歯ブラシを取付けたことを特徴とする請求項１記載の全部床義歯（通称総入歯）磨器。
【考案の詳細な説明】
【技術分野】
【０００１】  本考案は、全部床義歯を磨くための歯ブラシに関する。
【背景技術】
【０００２】  従来の歯磨きはブラシで磨くのが主で、接触面は点の集合で、傾斜すると線の集合で付着物の上滑る作動に変わるから効果が少なく、これに変わる歯ブラシはいまだにない、又、入れ歯専用で総入れ歯用の洗浄できる歯ブラシは数少ない。
【特許文献１】  特開平０６−０８２９３１号公報
【考案の開示】
【考案が解決しようとする課題】
【０００３】  それには次のような問題点があった。
本考案は、高齢者には加齢により、入れ歯を使用する人が多くなり、口内を清潔に保つには、入れ歯又は総入れ歯をよく磨かなければならないが従来の歯ブラシ又は入れ歯専用の歯ブラシでは磨けない箇所が出来るため、又、元々の自然の歯よりも入れ歯は汚れが落ちにくく、歯間や歯の付け根などの狭い溝の部分の汚れが落ちずらい等の問題があるため、どのような箇所でもきれいに磨くことの出来る入れ歯専用の歯ブラシが必要であり、考えた末、歯ブラシ本体を３分割できる歯ブラシ本体を設け従来の入れ歯専用歯ブラシでは磨けない箇所、汚れた箇所も３分割できる各専用の歯ブラシで汚れ具合に合わせた使い方ができ磨ける歯ブラシを提供する。
【課題を解決するための手段】
【０００４】  本考案は、１本の入れ歯専用歯ブラシを歯の汚れが落ちない箇所、磨けない箇所などに合わせて、３分割した円天Ａ、円天Ｂ、円天Ｃ、円天Ｄの４種類の強弱異なった素材にし、１本に合体又は分離を可能にし、入れ歯の汚れ具合に合わせた専用の使い方のできる歯ブラシで磨くことにより問題点を解決しようとするものである。円天の意味は従来の往復作用から回転作用にしたものの意味です。
【考案の効果】
【０００５】  本考案は、円天式は帯状の切断面の集合で付着物の切取作用の効果あり、頑固な汚れに効果があり、又、丸い凹部に入り込み回転磨きを可能にする等、４通りの使い方があり、入れ歯の汚れに合わせて撰び、入れ歯を綺麗に磨ける効果がある。
【考案を実施するための最良の形態】
【０００６】  以下、本考案の実施の形態を説明する。
入れ歯専用歯ブラシ本体（１）を３分割し、その円筒Ａ（２）の両端先端部に素材に違う歯ブラシ円天Ａ（３）、円天Ｂ（４）を設ける、円筒Ｂ（５）の先端部に円天Ｃ（６）を設け、円筒Ｃ（７）の先端部に円天Ｄ（８）を設ける、円天Ａ、円天Ｂ、円天Ｃ、円天Ｄの４種類の強弱異なった素材の歯ブラシにする。又、１本に合体又は３本に分離を可能にし、入れ歯の汚れ具合に合わせた専用の使い方のできる歯ブラシで磨くことにより納得のいく入れ歯の洗浄、歯ブラシができる。
本考案は、以上の構成よりなっている。
【図面の簡単な説明】
【０００７】
【図１】  本考案の本体正面図。
【図２】  本考案の本体を３分割した正面図
【図３】  本考案の円天ＡとＢの正面図
【図４】  本考案の円天ＡとＢの右側面図
【図５】  本考案の円天ＡとＢの左側面図
【図６】  本考案の円天Ｃの正面図
【図７】  本考案の円天Ｃの右側面図
【図８】  本考案の円天Ｃの左側面図
【図９】  本考案の円天Ｄの正面図
【図１０】  本考案の円天Ｄの右側面図
【図１１】  本考案の円天Ｄの左側面図
【符号の説明】
【０００８】    １  本体歯ブラシ
２  円筒Ａ
３  円天Ａ（素材、加工したステンレス線）
４  円天Ｂ（柔らかな特殊鋼を線状に加工したもの）
５  円筒Ｂ
６  円天Ｃ（トラロープの繊維を使用（科学センイ））
７  円筒Ｃ
８  円天Ｄ（普通のスポンジ、仕上げの荒い流し用）
【図１】
0003150414.tif 000003
【図２】
0003150414.tif 000004
【図３】
0003150414.tif 000005
【図４】
0003150414.tif 000006
【図５】
0003150414.tif 000007
【図６】
0003150414.tif 000008
【図７】
0003150414.tif 000009
【図８】
0003150414.tif 000010
【図９】
0003150414.tif 000011
【図１０】
0003150414.tif 000012
【図１１】
0003150414.tif 000013
【手続補正書】
【提出日】平成21年2月14日(2009.2.14)
【手続補正１】
【補正対象書類名】実用新案登録請求の範囲
【補正対象項目名】請求項１
【補正方法】変更
【補正の内容】
【請求項１】
入れ歯専用の歯ブラシ本体を３分割に、かつ合体できる事を特徴とする全部床義歯（通称総入歯）磨器。
(57)【要約】【課題】グループの気持ちを、見た目で分かりやすいデザインに施し、記念、財産、お守り、コレクション、装飾の価値をグループで共有出来るようにする。【解決手段】家族や恋人などグループの気持ちを、ハートなど意味のあるデザインで表現し、その表現したデザインを施した品（１）に、グループに所属する個人の誕生月アイテムまたは誕生月モチーフ（２）、（３）、（４）を組み込む。【選択図】図１
0003150413.tif 000002
【実用新案登録請求の範囲】
【請求項１】
家族や恋人などグループの気持ちを、ハートなど意味のあるデザインで表現し、その表現したデザインを施した品（１）に、グループに所属する個人の誕生月アイテムまたは誕生月モチーフ（２）、（３）、（４）を組み込む。
【考案の詳細な説明】
【技術分野】
【０００１】本考案は、家族や恋人などグループに所属する人達で価値を共有する為の考案に関する。
【背景技術】
【０００２】個人の誕生月アイテムを使用した記念品、装飾品、お守りなど。【０００３】気持ちを表すデザインが施されていない、夫婦の誕生石を埋め込んだ指輪。
【考案の開示】
【考案が解決しようとする課題】
【０００４】グループの気持ちを、見た目で分かりやすいデザインに施し記念、財産、お守り、コレクション、装飾の価値をグループで共有出来るようにする。
【課題を解決するための手段】
【０００５】家族や恋人などグループの気持ちを、ハートなど意味のあるデザインで表現し、その表現したデザインを施した品（１）に、グループに所属する個人の誕生月アイテムまたは誕生月モチーフ（２）、（３）、（４）を組み込む。
【考案の効果】
【０００６】家族や恋人などグループへの思い入れが高まる。
【考案を実施するための最良の形態】
【０００７】記念品
【実施例】
【０００８】愛の気持ちを表現したハートのデザインを施したリングに父、母、子供それぞれの誕生石をセットする。
【産業上の利用可能性】
【０００９】記念品、ギフト
【図面の簡単な説明】
【００１０】
【図１】組み合わせたデザインを示した立体図である。
【符号の説明】
【００１１】（１）家族や恋人などグループの気持ちを表現したデザインを施した品（図１ではハート）
（２）グループに所属する個人１の誕生月アイテム
（３）グループに所属する個人２の誕生月アイテム
（４）グループに所属する個人３の誕生月アイテム
（５）品を構成する部分（図１では指輪の腕）
【図１】
0003150413.tif 000003
【手続補正書】
【提出日】平成21年2月5日(2009.2.5)
【手続補正１】
【補正対象書類名】実用新案登録請求の範囲
【補正対象項目名】全文
【補正方法】変更
【補正の内容】
【実用新案登録請求の範囲】
【請求項１】
家族や恋人などグループの愛情をハートの形で表現した物品に、そのグループに所属する各個人の誕生石などを組み合わせた装飾品や実用品、または記念品。
【手続補正書】
【提出日】平成21年3月4日(2009.3.4)
【手続補正１】
【補正対象書類名】実用新案登録請求の範囲
【補正対象項目名】全文
【補正方法】変更
【補正の内容】
【実用新案登録請求の範囲】
【請求項１】
家族や恋人などグループの愛情をハートの形で表現した物品に、そのグループに所属する各個人の誕生石やパワーストーンを組み合わせた装飾品や置物、お守り、または記念品。
(57)【要約】      （修正有）【課題】シュレッダーのカーバを取り外さないで、給油及びメンテナンスができるルーブ・パックを提供する。【解決手段】シュレッダー用ルーブ・パックには、複合紙で作ったインナー袋１がある。前記インナー袋１は、ルーブを詰めてあり、周りに密封シール２，３，４，５が設けられた。ルーブが噴き出さないために、前記密封シールとインナー袋の周辺の間に、間隔の効果がある数個の短い密封シール６，７，８，９を設けたことを特徴とする。【選択図】図１
0003150498.tif 000002
【実用新案登録請求の範囲】
【請求項１】
シュレッダー用ルーブ・パックであって、シュレッダー用ルーブ・パックには、複合紙で作ったインナー袋があり、前記インナー袋は、ルーブ（１）を詰めてあり、周りに密封シール（２、３、４、５）が設けられており、ルーブが詰め込まれた密封インナー袋から、ルーブが噴き出さないために、前記密封シールとインナー袋の周辺の間に、間隔がある数個の短い密封シール（６、７、８、９）を設けたことを特徴とするシュレッダー用ルーブ・パック。
【請求項２】
前記短い密封シールの数が2個でなく、3個或いは4個以上である請求項１に記載のシュレッダー用ルーブ・パック。
【請求項３】
複合紙は珠光膜（ＰＺＧ）で複合された双筒紙である請求項１または２に記載のシュレッダー用ルーブ・パック。
【請求項４】
前記インナー袋は、周辺の形が三角型、四角型、多角型または他の幾何型である請求項３に記載のシュレッダー用ルーブ・パック。
【考案の詳細な説明】
【技術分野】
【０００１】
本考案は、本考案は、シュレッダーに使う新規ルーブ・パックに関する。
【背景技術】
【０００２】
従来、使わない資料に関する情報が漏られないために、紙を細断できる特許設備が利用されている。でも、しばらく当該設備を使用した後、主な部品に給油しなければならない。そうやれば部品が錆びなくてシュレッダーの運転効率もアップする。今までのメンテナンス方法は、ルーブが積み込まれた容器を持ってシュレッダーの入り口に噴き入れることである。手動での給油しかできないので、時間と手間が無駄になるだけではなく、効果もよくない。
【考案の概要】
【考案が解決しようとする課題】
【０００３】
解決しようとする課題は、上述の問題に鑑みてなされたもので、シュレッダーのカーバを取り外さない場合で、給油及びメンテナンスを行われるルーブ・パックを提供することである。
【課題を解決するための手段】
【０００４】
本考案は以下の技術方案を提供する。シュレッダー用ルーブ・パックには、複合紙で作ったインナー袋がある。前記インナー袋は、ルーブを詰めてあり、周りに密封シールが設けられた。上述のようにルーブが積み込まれた密封インナー袋が形成された。ルーブが噴き出さないために、前記密封シールとインナー袋の周辺の間に、間隔の効果がある数個の短い密封シールを設けたことを特徴とする。
【考案の効果】
【０００５】
本考案は以下の有利な点が揃えている。シュレッダーに給油する時に、本考案を直接設備の入り口に置いて、紙の裁断と同一な方式で切断しまたは粉砕する。ルーブ・パックが裁断されると同時に、シュレッダーにつける刃或いは刃取り付け装置がルーブと触れ合われるので、シュレッダーの使用寿命も長くなる。
【図面の簡単な説明】
【０００６】
【図１】図1は本考案の正視図である。
【図２】図2は図1の断面図である。
【図３】図3は本考案の立体図である。
【考案を実施するための形態】
【０００７】
図1、図2、図3に示す本考案は、複合紙で作ったインナー袋1がある。前記インナー袋1は、ルーブ1を詰めてあり、周りに密封シール2、3、4、5、が設けられた。上述のようにルーブが積み込まれた密封インナー袋1が形成された。ルーブが噴き出さないために、前記密封シール2、3、4、5、とインナー袋1の周辺の間に、間隔の効果がある数個の短い密封シール6、7、8、9、を設けた。
【０００８】
前記ルーブ・パックは、短い密封シール6、7、8、9、の数が2個でなく、3個或いは4個及び何個でもよい。
【０００９】
前記ルーブ・パックは、インナー袋を形成する複合紙は珠光膜（ＰＺＧ）で複合された双筒紙である。
【００１０】
前記インナー袋は、周辺の形が以下のどれでもよい。三角型、四角型、多角型または他の幾何型。
【００１１】
密封されたルーブ・パックの端縁を裁断するとき、ルーブ・パックには空気とルーブがあるから、密封シールが破裂してルーブが入り口から噴き出す可能性がある。だから、ルーブ4が入り口から飛び出さないために、密封シールとルーブ・パックの端縁の間に2個または数個の密封シール6、7、8、9、が設けられた。
【００１２】
シュレッダーに給油する時に、本考案を直接設備の入り口に置いて、紙の裁断と同一な方式で切断しまたは粉砕する。ルーブ・パックが裁断されると同時に、シュレッダーにつける刃或いは刃取り付け装置がルーブと触れ合われるので、シュレッダーの使用寿命も長くなる。
【符号の説明】
【００１３】
１：インナー袋
１：ルーブ
２，３，４，５：密封シール
６，７，８，９：密封シール
【図１】
0003150498.tif 000003
【図２】
0003150498.tif 000004
【図３】
0003150498.tif 000005
(57)【要約】      （修正有）【課題】文字などを印刷して有効活用できるようにしたトイレットペーパーを提供する。【解決手段】無地の無味乾燥なトイレットペーパーではなく、トイレにはいって、心が癒され、脳が活性化されるような、例えば処世訓、健康の情報、ＣＭなどの記述、それを補足するカットなどを印刷した特徴のあるトイレットペーパーである。【選択図】図１
0003150408.tif 000002
【実用新案登録請求の範囲】
【請求項１】
トイレットペーパーそのものに文字、カットなど印刷すること。
【考案の詳細な説明】
【技術分野】
【０００１】  トイレットペーパーに、文字やカットなど印刷することは、技術的に可能と思われる。
【背景】
【０００２】  今までは、トイレットペーパーは使用して、そのまま流していた。
【考案が解決しようとする課題】
【０００３】  トイレにはいった時、トイレットペーパーを使用するまでの間、多少の時間がかかる。その時間を有効活用しようとするものである。無念無想の人もいるだろうが、そこに文字など印刷してあると、それを見る事によって脳が活性化され、若い人には勉強に、お年寄りにはボケ防止になるのではないか。
【課題を解決する手段】
【０００４】  そこで、トイレットペーパー全面に印刷してもよいが、中央部分は直接糞尿を拭く部分なので失礼になる。だから、トイレットペーパーの両端部分に文字など印刷したほうがよいと思う。その印刷は、例えば処世訓、ばあちゃんの知恵袋、健康に関する情報など、また、各種のＣＭ（特に身体や健康に関するものが中心となるだろう）など、利用方法はたくさんあると思われる。
【考案の効果】
【０００５】  よって、その印刷された文字など見ることにより、知恵が豊富になり、脳が活性化され、ボケ防止にもなる。また、ＣＭに使用されると、比較的安いトイレットペーパーは、更に安く消費者に提供されることになると思う。
【図面の簡単な説明】
【０００６】  図面では両端（上下）に１行ずつ印刷してあるが、字やカットが小さければ２〜３行でもよい。
0003150408.tif 000003
【手続補正書】
【提出日】平成21年2月10日(2009.2.10)
【手続補正１】
【補正対象書類名】実用新案登録請求の範囲
【補正対象項目名】全文
【補正方法】変更
【補正の内容】
【実用新案登録請求の範囲】
【請求項１】
無地の無味乾燥なトイレットペーパーではなく、トイレにはいって、心が癒され、脳が活性化されるような、例えば処世訓、健康の情報、ＣＭなどの記述、それを補足するカットなどを印刷した特徴のあるトイレットペーパー。
【手続補正２】
【補正対象書類名】明細書
【補正対象項目名】０００６
【補正方法】変更
【補正の内容】
【０００６】
【図１】図面では両端（上下）には１行ずつ印刷してあるが、字が小さければ２〜３行でもよい。また、カットなど印刷してないが、記述の内容によって異なるので、それらを含めたトイレットペーパーの平面図である。
【手続補正３】
【補正対象書類名】図面
【補正対象項目名】全図
【補正方法】変更
【補正の内容】
【図１】
0003150408.tif 000004
(57)【要約】      （修正有）【課題】本体に挟み部分を両側あるいは複数設け、挟まれたメモ等の内容事項が重ならない様にすることができるクリップ器具を提供する。【解決手段】クリップ器具本体に挟み部分を両側あるいは複数設け、ピンチ１の双方を寄せる事で両側のクリップが開き、固定ピン２にピンチ１の片側のみを寄せると片側クリップが開くが、これらの操作を本体の中央上側から行う事で、メモ等や器具本体の付け外しが容易となり、更に、クリップ下部先端凹部を回転させストッパー８に固定すれば角度が変わる等で、挟まれているメモ等の内容事項が重ならない様にするのに役立つ。【選択図】図１
0003150410.tif 000002
【実用新案登録請求の範囲】
【請求項１】
クリップ器具本体に、挟み部分を両側あるいは複数に設定し、固定ピンとピンチとの両操作により、其々の挟み部分の開閉を自在にし、且つ、器具中央の上側からの操作を行う事で、メモ等やクリップ器具本体の付け外しを容易にし、又、接合部の先端凹部の角度を変えて固定する事で、取り付けたメモ等の位置を変えられる等を特徴とする両側クリップ付き器具
【考案の詳細な説明】
【技術分野】
【０００１】  本考案は、クリップとして、両側あるいは複数に挟む部分を設け、ピンチと固定ピンとで開閉操作をするクリップ器具に関するものである。
【背景技術】
【０００２】  ピンやマグネットあるいはクリップにメモ等を挟む場合、複数になると内容事項が重なり合い、見えにくい状態となり、又、取り外しも全てが一緒になってしまう等の煩わしい思いをする事がある。
【考案の開示】
【考案が解決しようとする課題】
【０００３】  一つの器具に両側あるいは複数のクリップを設け、メモ等を挟む部分を多くする事で内容事項がより見易い状態を可能とし、前述の重ね合わさる欠点を解決しようとするものである。
【課題を解決するための手段】
【０００４】  本考案は、メモ等が重らない様に挟む部分を複数にして、ピンチ部と固定ピンとでクリップの開閉がし易い様に器具の上側からの操作に設定する。操作として、固定ピンに触れず両ピンチを寄せ合わせると、双方のクリップが開き、又、片側のピンチのみを相対する固定ピンに寄せるとクリップの片側が開かれる。この様な操作方法の使い分けをする事で問題点を解決している。
【考案の効果】
【０００５】  上述の様に、クリップ部が複数なので、挟まれたメモ等が重なることも無く、更に、クリップ開閉の操作が中央上側からなのでメモ等の付け外しや、クリップ器具の移動も容易となり、内容事項をいつでも身近で見易くするのに役立つ。その上メモ等が多くなれば直接か或いは周辺箇所に、別な両側クリップで挟み込んでゆくと、内容事項が外側に広がってゆくので重なること無く、連続的に利用する事が可能となる。
【案の実施するための最良の形態】
【０００６】  固定ピンに触れる事無く、両ピンチのみを寄せ合わせると両クリップが同時に開き、双方でメモ等を挟む状態となる。固定ピンに触れながら相対する片側ピンチを寄せると、片方のクリップのみが開く、更に、本体の中央上側から操作を行う事でクリップ器具の付け外しを容易とし、片側にメモ等を挟んだままで別の場所に取り付けができ、双方に挟まれたメモ等を片方ずつあるいは同時に付け外す事も自在となる。別格として、固定ピンを器具の中心に設置して、この周囲にピンチとクリップの組み合わせを取り巻くように設定すれば、複数のクリップの利用が可能となり、又、器具の底辺にマグネットやピン等を取り付けて利用した場合には、この上側の操作は更にし易いものとなる。又、通常は両クリップ下側部分の左右延長部を中央で重ね、回転式ボルトで止め、先端凹部をストッパーで固定しているが、クリップの角度を変える場合には、移動溝に沿って引きながらクリップを回転させ、凹部の位置を変えて固定する事で取り付けたメモ等の角度が自在となる。
【実施例】
【０００７】  以下、添付図面に従って一実施例を説明する。図１は適宣素材にて形成された両側クリップ付き器具全体像で、２は固定ピン、これに触れずして１の両ピンチ部分同士を引き寄せ合うと両方同時にクリップが引き上がり、固定ピンに相対する片側ピンチを引き寄せると、片側のクリップが引き上がる。【０００８】  本考案の一実施例は上述の如き構成からなるものであるが、通常は４のクリップ下部分の延長中程を９の回転式ボルトで締め合わせ、先端７の凹部を８のストッパーで固定しているが、クリップの角度を変える場合は、４のクリップ下部分の延長部を６のボルト移動溝に沿って引きながら、向きを変えて別凹部を８のストッパーに固定すれば角度が自在となる。
【図面の簡単な説明】
【０００９】
【図１】本考案の両側クリップ付き器具の一実施例を示す正面図である。
【図２】片側クリップを回転させた状態の接合部周囲を示す拡大図である。
【符号の説明】
【００１０】  １  ピンチ
２  固定ピン
３  クリップ上部分
４  クリップ下部分
５  バネ
６  ボルト移動溝
７  固定凹部
８  ストッパー
９  回転式ボルト
【図１】
0003150410.tif 000003
【図２】
0003150410.tif 000004
【手続補正書】
【提出日】平成21年2月13日(2009.2.13)
【手続補正１】
【補正対象書類名】実用新案登録請求の範囲
【補正対象項目名】全文
【補正方法】変更
【補正の内容】
【実用新案登録請求の範囲】
【請求項１】
クリップ器具の上下で噛み合わせとなる上方の延長部分にバネの圧力を上からかけた後、Ｌ字型で上向きに曲げ伸ばしてこれをピンチとし、クリップ先端が開く方向にこのピンチを倒すと、バネを押し上げクリップ先端が開き、放すとバネの圧力により閉じる事になるが、このクリップ器具本体に、クリップを２つあるいは複数に設けて増やし、上下で噛み合わせるクリップの下側である延長の部分でバネを固定しながら、相対するクリップ下側を水平に一体化し底面とするが、この底面から不動で固定されたピンをピンチの傍らに立て置き、ピンにピンチを傾け倒すと、ピンチだけが固定されたピンに傾きながら、バネと共にピンチ先のクリップ先端が開き上がり、又、固定ピンに触れずピンチ同士を傾け合わせると、双方のクリップが同時に開き、放すとバネの圧力により閉じるが、この様に其々のピンチとピンとの操作によってクリップ開閉を自在としながら、且つ、クリップの噛み合わせとなる上側部分の延長を、Ｌ字型で上向きに曲げ伸ばしたピンチの形式と、この傍らに固定したピンを平行に置き立てることにより、上側からのクリップの開閉操作となる事を特徴とする両側挟み部付きクリップ器具
(57)【要約】      （修正有）【課題】老眼の方々が、目にゴミが入っても、また逆まつげが出てきても一人で速やかに取り除くことができる虫めがね付き手鏡を提供する。【解決手段】拡大鏡と虫めがねを結合させたことを特徴とする。プラスチック側面に１ｍｍ山ぐらいのすべり止めのギザギザをつけたスライド式にしたり、拡大鏡と虫めがねを合わせる時に、上部１ヶ所に磁石を使用することもできる。【選択図】図１
0003150404.tif 000002
【実用新案登録請求の範囲】
【請求項１】
鏡と虫めがねを併用する。
【請求項２】
図１スライド式は、側面に１ｍｍ山ぐらいのすべり止めのギザギザをつける
材質は、プラスチック、を使用。
【請求項３】
図２では、鏡と虫めがねを合わせる時に上部１ヶ所磁石使用。
【考案の詳細な説明】
0003150404.tif 000003
【考案の開示】
老眼の人が、簡単に、すばやく人の手を借りず、自分一人で目の中のゴミなどを取り除く事、その為には、老眼鏡をはずしても見えなければならない。
拡大鏡では、大きく見えても  はっきり見えず、使用する意味がない。
今回考案した鏡と虫めがねを一つにした手鏡なら、その悩みが解決する。
私は長年  逆まつげに悩まされてきましたが、たまたま鏡とそばにあった虫めがねを合わせて  のぞいてみた所視力が快復したかの様にくっきりと見ることができ考案に至りました。
【考案が解決しようとする課題】
０００１    目の中にゴミ・まつげ・逆まつげなどが入っても、普通の鏡、もしくは、拡大鏡では、老人、老眼の人には、一人で取り除くことが出来なかった。
【課題を解決するための手段】
０００２．  鏡と虫めがねを合体させる
【考案の効果】
０００３．  目にゴミなどが入っても逆まつげが出てきても、一人で人にたよることなく取り除ける。
【図面の簡単な説明】コンパクト式は、女性には、違和感なく使用できるが、男性には、多少抵抗があるのでスライド式の方が、ポケットにもおさめやすい。
【図１】考案した手鏡を示す図である。
【符号の説明】
１、鏡部分
２、虫めがね部分
３、本体部分
【図１】
0003150404.tif 000004
【図２】
0003150404.tif 000005
【手続補正書】
【提出日】平成21年2月9日(2009.2.9)
【手続補正１】
【補正対象書類名】実用新案登録請求の範囲
【補正対象項目名】全文
【補正方法】変更
【補正の内容】
【実用新案登録請求の範囲】
【請求項１】
拡大鏡と虫めがねを結合させたことを特徴とする、虫めがね付き手鏡
【請求項２】
プラスチック側面に１ｍｍ山ぐらいのすべり止めのギザギザをつけたスライド式であることを特徴とする、請求項１記載の虫めがね付き手鏡
【請求項３】
拡大鏡と虫めがねを合わせる時に、上部１ヶ所に磁石を使用することを特徴とする請求項１記載の虫めがね付き手鏡
【手続補正２】
【補正対象書類名】明細書
【補正対象項目名】全文
【補正方法】変更
【補正の内容】
【考案の詳細な説明】
【考案の開示】
【０００１】老眼の人が、簡単に、すばやく人の手を借りず、自分一人で目の中のゴミなどを取り除く事、その為には、老眼鏡をはずしても見えなければならない。拡大鏡では、大きく見えても、はっきり見えず、使用する意味がない。今回考案した拡大鏡と虫めがねを一つにした手鏡なら、その悩みが解決する。私は長年、逆まつげに悩まされてきましたが、たまたま鏡とそばにあった虫めがねを合わせてのぞいてみた所、視力が快復したかの様にくっきりと見ることができ考案に至りました。
【考案が解決しようとする課題】
【０００２】目の中にゴミ・まつげ・逆まつげなどが入っても、普通の鏡、もしくは、拡大鏡だけでは、老人、老眼の人には、一人で取り除くことが出来なかった。
【課題を解決するための手段】
【０００３】拡大鏡と虫めがねを合体させる
【考案の効果】
【０００４】目にゴミなどが入っても逆まつげが出てきても、一人で人にたよることなく取り除ける
【０００５】コンパクト式は、女性には、違和感なく使用できるが、男性には、多少抵抗があるのでスライド式の方が、ポケットにもおさめやすい。
【図面の簡単な説明】
【０００６】
【図１】考案した手鏡を示す図である。
【図２】考案した手鏡を示す図である。
【符号の説明】
【０００７】１．鏡部分
２．虫めがね部分
３．本体部分
(57)【要約】      （修正有）【課題】書類等に添付あるいは、簡易に携帯できるシール式朱肉を提供する。【解決手段】容器基板の中心部に印鑑が十分入る径の窪みを付けて、その窪みに数回分の朱肉インクをふくむことの出来る朱肉吸入材を入れ、それに朱肉インクを滲み込ませ、その朱肉インクの乾燥・漏出を防ぎ容器の保護を目的とするため保護シールを基板全体に接着させることにより、数回で使い切るタイプの朱肉として持ち運びに耐えて携帯性も得られるようにし、シール式朱肉を構成する。【選択図】図２
0003150403.tif 000002
【実用新案登録請求の範囲】
【請求項１】
契約書等印鑑を押印しなければならない書類には、いかなる場合も朱肉台・スタンプ台が必要になりますが、この方式ですと朱肉インキがシール状の薄い容器に朱肉インキを含ませてあるので、必要な場合に保護シールを剥がして使用出来る、従来の朱肉台・スタンプ台は必要ではなくなり、押印する場合のみシール式朱肉の保護シールを剥がして朱肉を付ければ押印できるメリットがあり、シール朱肉は簡単に持参、携帯が出来る便利さが享受できる。
【請求項２】
印鑑の形状・大きさなどに合わせてシール式朱肉は大きさを変えることが出来る。持ち運びが紙のように薄く、数度使用したら使用できなくなるがその使用範囲は広い。特に印鑑を必要な場合は相手方に送る契約書にこのシール式朱肉を同封して送付すれば受け取った方の手間も省かれる。携帯性、必要な分だけ朱肉をもつことが出来る。朱肉は朱肉台が必要という固定観念がなくなり押す必要のある書類には朱肉つきシールが添付されていることが一般的になるでしょう。朱肉の販売方法も今までの硬いイメージから新しい感覚になるため用途は押印だけではなく、極端に言えば指紋などの採取も簡易になる可能性がある。
【考案の詳細な説明】
【技術分野】
【０００１】この考案は印鑑の押印をし易く、どこでも出来るようにするため考案した、朱肉のほうを簡便にすることが特長的。
【背景技術】
【０００２】大事な契約の時などにうっかり朱肉を忘れてしまったがそんなときに契約書などに押さなければならない書類に添付されていれば良いと思った。朱肉の方を動かすことに力点を置く。
【考案の開示】
【考案が解決しようとする課題】
【０００３】朱肉台・スタンプ台という固定的で持ち運びが不便である、それらから来る不便さを解消したい。
【課題を解決するための手段】
【０００４】朱肉を含ませた薄い容器に数回分の朱肉インキを含ませて、表面を薄い保護シールで覆い、使用するときにのみ剥がして使用する。
数回分ですので容器は薄く出来るため、経済性も追求できる。
【考案の効果】
【０００５】これを考案することにより朱肉台・朱肉のイメージがガラリと変わり、より親しみのあるものになり、押される書類には朱肉シールを同封したり、引き出しに文具の一種としてあることにより押し損じや押し忘れがなくなるものと期待できます。
【考案を実施するための最良の形態】
【０００６】印鑑にはいろんなサイズ形状があるので、それによってシール容器を作成するべきである。
【実施例】
【０００７】図３は保護シールを剥がした斜視図です。
【産業上の利用可能性】
【０００８】産業上の利用可能性は簡易朱肉シールとして普及すると考えますが同時にこのことによって別の用途にも利用できます、指紋の採取など。
【図面の簡単な説明】
【０００９】
【図１】本考案を示す側面図です。
【図２】本考案を示す正面図です。
【図３】本考案を示す斜視図です。
【図１】
0003150403.tif 000003
【図２】
0003150403.tif 000004
【図３】
0003150403.tif 000005
【手続補正書】
【提出日】平成20年12月8日(2008.12.8)
【手続補正１】
【補正対象書類名】実用新案登録請求の範囲
【補正対象項目名】全文
【補正方法】変更
【補正の内容】
【実用新案登録請求の範囲】
【請求項１】
図１、図２、図３に描きました容器基板の中心部に印鑑が十分入る径の窪みを付けてその窪みに数回分（容器の窪みの容積の大きさにより使用可能回数が変えられる）の朱肉インクをふくむことの出来る朱肉吸入材を入れ、それに朱肉インクを滲み込ませる、その朱肉インクの乾燥・漏失を防ぎ容器の保護を目的とするため保護シールを基板全体に接着させる。それにより数回で使い切るタイプの朱肉として持ち運びに耐えて携帯性も得られることを特徴とするシール式朱肉。
【手続補正書】
【提出日】平成21年2月9日(2009.2.9)
【手続補正１】
【補正対象書類名】実用新案登録請求の範囲
【補正対象項目名】全文
【補正方法】変更
【補正の内容】
【実用新案登録請求の範囲】
【請求項１】
容器基板の中心部に印鑑が十分入る径の窪みを付けて、その窪みに数回分の朱肉インクをふくむことの出来る朱肉吸入材を入れ、それに朱肉インクを滲み込ませ、その朱肉インクの乾燥・漏出を防ぎ容器の保護を目的とするため保護シールを基板全体に接着させることにより、数回で使い切るタイプの朱肉として持ち運びに耐えて携帯性も得られることを特徴とするシール式朱肉。